(57)【要約】【課題】図柄表示部の表示形態が斬新な図柄表示装置を備えた遊技機の提供である。【解決手段】周面に図柄が描画されて、回転により変動表示する複数の回転ドラムを備えた図柄表示装置が盤面に配置され、該図柄表示装置の図柄表示部に停止表示された図柄の組み合わせが特定図柄の場合に特典を付与する遊技機において、前記図柄表示装置Ａ１　は、一対の截頭円錐形の円錐回転ドラムＤ２，Ｄ３　を含み、各円錐回転ドラムＤ２，Ｄ３　は、それぞれ截頭面２９と底面２８との間に位置するテーパー外周面（テーパー周面）２９に複数の図柄Ｂ１　が描画され、前記一対の円錐回転ドラムＤ２，Ｄ３　は、截頭面を遊技盤１７の盤面の内側に向けて対向配置されて、そのテーパー外周面３２に描画された複数の図柄Ｂ１　の一部が前記図柄表示部に表示される構成とする。【選択図】図４
2004105319.tif 000002
【特許請求の範囲】
【請求項１】
周面に図柄が描画されて、回転により変動表示する複数の回転ドラムを備えた図柄表示装置が盤面に配置され、該図柄表示装置の図柄表示部に停止表示された図柄の組み合わせが特定図柄の場合に特典を付与する遊技機において、
前記図柄表示装置は、一対の截頭円錐形の円錐回転ドラムを含み、各円錐回転ドラムは、それぞれ截頭面と底面との間に位置するテーパー周面に複数の図柄が描画され、
前記一対の円錐回転ドラムは、截頭面を遊技盤面の内側に向けて対向配置されて、そのテーパー周面に描画された複数の図柄の一部が前記図柄表示部に表示される構成であることを特徴とする遊技機。
【請求項２】
前記図柄表示装置は、少なくとも一対の円錐回転ドラムと、該一対の円錐回転ドラムの間に配設された円筒回転ドラムとで構成されることを特徴とする請求項１に記載の遊技機。
【請求項３】
前記図柄表示装置は、少なくとも一対の円錐回転ドラムと、該一対の円錐回転ドラムの間に配設されて、図柄を画面に表示する画面表示体とで構成されることを特徴とする請求項１に記載の遊技機。
【発明の詳細な説明】
【０００１】
【発明の属する技術分野】
本発明は、周面に図柄が描画されて、回転により変動表示する複数の回転ドラムを備えた図柄表示装置が盤面に配置され、該図柄表示装置の図柄表示部に停止表示された図柄の組み合わせが特定図柄の場合に特典を付与する遊技機に関するものである。
【０００２】
【従来の技術】
例えば、従来のスロットマシンに具備された図柄表示装置の最も一般的な構成は、複数の短円筒状の回転ドラムが横方向に並列配置されて、各回転ドラムの周面に２０個前後の図柄が描画されて、遊技機の正面側に達した３図柄程度が透明窓（図柄表示窓）から透視できるようになっている。
【０００３】
このように、回転ドラムを備えた従来の図柄表示装置の殆どは、短円筒状の回転ドラム（円筒ドラム）が横方向に並列配置された構成である。このため、各回転ドラムの図柄表示部における表示面は、奥行方向の略同一位置に配置されて横方向に並んだ状態となる。換言すれば、従来の遊技機は、同一形状の短円筒状の回転ドラムに、機種毎に異なるモチーフ、デザインの図柄を描画し、またそれらの図柄に応じた装飾を、回転ドラムの一部を露出させて遊技者の側に臨ませる透視窓部の周囲に施して、遊技者に飽きられないようにしていた。このように、図柄表示装置を備えた遊技機においては、図柄表示装置の表示面自体の改良は殆どなされずに、ドラム周面に描画する図柄のデザインや、窓部の周囲の装飾を機種毎に変える等していたのが実情である（例えば、特許文献１参照）。
【０００４】
【特許文献１】
特開平１０−５２５３５号公報の図９
【０００５】
数多くの機種が市場に投じられる近年において、上記のような図柄及び透視窓部の周囲の装飾の変更だけでは、遊技者に新鮮な印象を与えるのが困難になりつつある。そのため、図柄表示部の従来にない新たな表示形態が望まれていた。
【０００６】
【発明が解決しようとする課題】
本発明の課題は、図柄表示部の表示形態が斬新な図柄表示装置を備えた遊技機の提供である。
【０００７】
【課題を解決するための手段】
上記の課題を解決するための請求項１の発明は、周面に図柄が描画されて、回転により変動表示する複数の回転ドラムを備えた図柄表示装置が盤面に配置され、該図柄表示装置の図柄表示部に停止表示された図柄の組み合せが特定図柄の場合に特典を付与する遊技機において、前記図柄表示装置は、一対の截頭円錐形の円錐回転ドラムを含み、各円錐回転ドラムは、それぞれ截頭面と底面との間に位置するテーパー周面に複数の図柄が描画され、前記一対の円錐回転ドラムは、截頭面を遊技盤面の内側に向けて対向配置されて、そのテーパー周面に描画された複数の図柄の一部が前記図柄表示部に表示される構成であることを特徴としている。ここで、本明細書における「截頭円錐形」とは、その内部が中実の本来の形状は勿論のこと、内部が中空の筒状のものも含まれる。そして、後者の中空筒状の「截頭円錐形」においては、底面及び截頭面は、いずれも中空部位を示すことになる。
【０００８】
請求項１の発明によれば、従来の円筒回転ドラムを複数個並べて構成した図柄表示装置を備える遊技機では、各円筒回転ドラムの図柄表示部における表示面は、奥行方向の略同一位置に配置されて横方向に並んだ平面状態となる。これに対して、本発明の図柄表示装置においては、截頭面を遊技盤面の内側に向けて対向配置された一対の円錐回転ドラムを備えているので、一対の円錐回転ドラムの図柄表示部における表示面は、奥行方向に沿って異なる位置に配置されることとなる。よって、一対の円錐回転ドラムを含む複数の回転ドラムで構成される図柄表示装置の表示面は、立体形状となって、立体感を有する斬新な表示態様で図柄変動を行える。
【０００９】
また、請求項２の発明は、請求項１の発明において、前記図柄表示装置は、少なくとも一対の円錐回転ドラムと、該一対の円錐回転ドラムの間に配設された円筒回転ドラムとで構成されることを特徴としている。
【００１０】
請求項２の発明によれば、請求項１の発明の上記作用効果に加えて、一対の円錐回転ドラムと１個の円筒回転ドラムとを上記のように配設すると、各円錐回転ドラムの表示面が遊技者の側を向くので、図柄が見易くなる。
【００１１】
また、請求項３の発明は、請求項１の発明において、前記図柄表示装置は、少なくとも一対の円錐回転ドラムと、該一対の円錐回転ドラムの間に配設されて、図柄を画面に表示する画面表示体とで構成されることを特徴としている。
【００１２】
請求項３の発明によれば、請求項１の発明の上記作用効果に加えて、図柄表示装置が、機械的動作による回転により図柄を変動させる円錐回転ドラムと、図柄が画面上で変動表示する画面表示体との異種構造の表示体で構成されるため、表示面が立体的になるのに加えて、図柄が二種の異なる表示形態で表示されることにより、一層斬新な図柄表示を行える。
【００１３】
【発明の実施の形態】
以下、実施形態を挙げて、本発明について更に詳細に説明する。図１は、本発明に係るスロットマシンＭの正面図であり、図２は、スロットマシンＭの図柄表示装置Ａ１　を構成する３個の回転ドラムＤ１　〜Ｄ３　の回転支持構造を主体に示す概略断面図である。
【００１４】
図１において、スロットマシンＭの前面側に設けられたフロントドア１の上端部には、遊技方法等を説明する案内部２が配置され、該案内部２の下方であって前記フロントドア１の中央部には、図柄の表示を行う図柄表示部３が配置され、更に、前記図柄表示部３の下方には、遊技操作を行うのに必要な各種ボタン等から成る操作部４が配置されている。また、フロントドア１の下端部には、遊技の結果「当り」となって払い出されたコイン、或いは遊技の最初に遊技者が購入したコインを貯留させるための受皿２０が設けられている。なお、操作部４と受皿２０との間の広いスペースは、遊技には直接に関連しない装飾部５となっている。
【００１５】
また、前記図柄表示部３には、外周面に異なる多数の図柄が連続して描画された３つの回転ドラムＤ１，Ｄ２，Ｄ３　が横方向に並んで配置されている。前記操作部４には、１回のスロットゲームで掛けるコインの枚数（掛数）を設定するためのベットボタン６，７，８、クレジットしているコインの返却を求める貯留球清算ボタン９、各回転ドラムＤ１，Ｄ２，Ｄ３　を回転始動させるための始動レバー１１、回転中の各回転ドラムＤ１，Ｄ２，Ｄ３　を個別に停止させるための停止ボタン１２，１３，１４、コインを投入する投入口１５等が設けられている。
【００１６】
また、３種類の各ベットボタン６，７，８のうち、ベットボタン６は、例えば掛数が１枚であって、中央の１本の水平ラインを有効ライン１６とし、ベットボタン７は、例えば掛数が２枚であって、水平の３ラインを有効ライン１６とし、更に、ベットボタン８は、例えば掛数が３枚であって、３本の水平ラインと２本の対角線ラインとの５ライン全部を有効ライン１６とする。
【００１７】
そして、スロットマシンＭの遊技を行うには、３種類のベットボタン６，７，８のいずれかを押して、掛数（通常は、掛数が３の「３枚掛け」である）を定め、この「掛数」に対応した枚数のコインを投入口１５に投入して、始動レバー１１を押すと、各回転ドラムＤ１，Ｄ２，Ｄ３　が回転を開始する。次に、各回転ドラムＤ１，Ｄ２，Ｄ３　に対応する各停止ボタン１２，１３，１４を押して、各回転ドラムＤ１，Ｄ２，Ｄ３　を停止させる。なお、各停止ボタン１２，１３，１４を押す順序は、左側の回転ドラムＤ３，中央の回転ドラムＤ１，右側の回転ドラムＤ２　の順序で押す（これを「順打ち」と称している）のが通常の遊技である。
【００１８】
そして、３つの各回転ドラムＤ１，Ｄ２，Ｄ３　が特定の図柄の組み合わせで前記有効ライン１６上に揃って停止して、「役」が成立した場合には、コイン払出口１０から受皿２０内に所定数のコインが払い出されて貯留される。揃う「役」には、大別して「ボーナス役」と「小役」とがあり、更に、「ボーナス役」には、「ビッグボーナス」と「レギュラーボーナス」との２種類があって、多くのコインが払い出される（後者の「レギュラーボーナス」においても、１２０枚弱のコインの獲得が可能である）。また、「小役」の場合には、その場で少しのコインが払い出される。
【００１９】
次に、３個の回転ドラムＤ１，Ｄ２，Ｄ３　で構成される図柄表示装置Ａ１　について詳細に説明する。図３は、図柄表示装置Ａ１　を構成する３個の回転ドラムＤ１，Ｄ２，Ｄ３　の配置を示す正面図であり、図４は、同じく斜視図である。図１ないし図４に示されるように、図柄表示装置Ａ１　は、円筒回転ドラムＤ１　と、その両側に配置される截頭円錐状をした一対の円錐回転ドラムＤ２，Ｄ３　とで構成される。一対の円錐回転ドラムＤ２，Ｄ３　は、底面２８と截頭面２９とテーパー外周面３２とを備えており、その截頭面２９を遊技盤１７の内側に向けて対向配置され、この一対の截頭円錐状をした円錐回転ドラムＤ２，Ｄ３　の間に、円筒回転ドラムＤ１　が所定の隙間を有して配置されている。このように配置された３個の回転ドラムＤ１，Ｄ２，Ｄ３　は、その軸心を一致させて、横方向に配置されている。
【００２０】
また、各回転ドラムＤ１，Ｄ２，Ｄ３　の外周面には、多数の図柄が所定間隔をおいて描画されている。なお、現実の回転ドラムの外周面には、遊技者に興味のある絵柄を含む多種類の図柄が２０個前後描画されることが多いが、本発明の説明においては、図示の関係から１０個の「数字」を図柄Ｂ１　として説明する。中央に配置された円筒回転ドラムＤ１　は、その外周面３１に前記図柄Ｂ１　が描画されており、その両側に配置された一対の円錐回転ドラムＤ２，Ｄ３　は、そのテーパー外周面３２に前記図柄Ｂ１　が描画されている。このように、３個の回転ドラムＤ１，Ｄ２，Ｄ３　のうち両側の２個は、截頭円錐状であって、しかも各回転ドラムＤ１，Ｄ２，Ｄ３　の一部が遊技盤１７の盤面１７ａから手前側（遊技者の側）に突出している（図５参照）ために、スロットマシンＭの遊技盤１７に設けられる図柄表示窓に関しても、中央の図柄表示窓１８は、正面形状において縦長方形状であるが、両側の図柄表示窓１９は、等脚台形の上辺が遊技盤１７の内側を向くように、９０°横転させた形状になっている。また、図２に示されるように、一対の円錐回転ドラムＤ２，Ｄ３　は、その截頭面２９の側に複数本のリブ２１が放射状に設けられて、複数のリブ２１の中心部のボス２２が設けられていると共に、底面２８の側は、そのまま開口状態となった構成である。なお、円筒回転ドラムＤ１　に関しては、その一方の開口面に前記リブ２１及びボス２２が設けられていて、その他方の開口面は、全面開口となっている。
【００２１】
また、各回転ドラムＤ１，Ｄ２，Ｄ３　の回転支持構造は、同一であって、中央に配置された円筒回転ドラムＤ１　に関しては、Ｌ字状をした支持台２３の垂直板部２３ａが、円錐回転ドラムＤ２　の開口の側方に近接して配置された状態で、水平板部２３ｂが固定され、前記垂直板部２３ａの内側に軸心を水平にして取付けられたモータ２４の駆動軸２４ａが前記ボス２２に連結されている。このように、支持台２３の垂直板部２３ａの内側に取付けられたモータ２４は、円筒回転ドラムＤ１　の内部の空間部に配置されて、該円筒回転ドラムＤ１　の外側に配置された水平板部２３ｂがフレーム類２５に固定されている。また、中央の円筒回転ドラムＤ１　の両側に配置された一対の円錐回転ドラムＤ２，Ｄ３　に関しては、図２に示されるように、支持台２３’の垂直板部２３’ａが各円錐回転ドラムＤ２，Ｄ３　の底面２８の側の開口の側方に近接して配置され、前記垂直板部２３’ａの外側に取付けられたモータ２４が、各円錐回転ドラムＤ２，Ｄ３　の内側の空間部に配置され、その駆動軸２４ａが、各円錐回転ドラムＤ２，Ｄ３　の截頭面２９の側に設けられたボス２２に連結されている。なお、各円錐回転ドラムＤ２，Ｄ３　を回転支持する支持台２３’の水平板部２３’ｂは、円錐回転ドラムＤ２，Ｄ３　の外側に配置されている。
【００２２】
そして、スロットマシンＭの遊技を行うには、上記したように、３種類のベットボタン６，７，８のいずれかを押して掛数を定め、この「掛数」に対応した枚数のコインを投入口１５に投入して、始動レバー１１を押すと、各回転ドラムＤ１，Ｄ２，Ｄ３　が回転を開始する。ここで、図柄表示装置Ａ１　は、円筒回転ドラムＤ１　の両側に、截頭面２９が遊技盤１７の内側を向くようにして一対の円錐回転ドラムＤ２，Ｄ３　が配置されているために、その図柄表示面は、中央の円筒状の円筒回転ドラムＤ１　のそれよりも奥行方向に沿って僅かに手前側に配置されて、両側の円錐回転ドラムＤ２，Ｄ３　の外周面がいずれも遊技盤１７の内側を向いた立体形状となる（図５参照）。このため、遊技者にとって図柄Ｂ１　が見易い。
【００２３】
また、上記実施形態では、３個の各回転ドラムＤ１，Ｄ２，Ｄ３　の一部は、いずれも遊技盤１７の盤面１７ａから手前側に突出しているために、そのテーパー外周面３２に描画された図柄Ｂ１　が見易いのに加えて、各円錐回転ドラムＤ２，Ｄ３　の一部突出形状そのものが特異な形態であるために、図柄表示装置Ａ１　の図柄表示面が一層斬新となる特徴を有する。なお、図示されていないが、３個の各回転ドラムＤ１，Ｄ２，Ｄ３　の突出部の前面は、わん曲した透明カバー〔図示せず〕で覆われている。
【００２４】
また、３個の回転ドラムＤ１，Ｄ２，Ｄ３　の奥行方向の配置は、図６に示されるように、その全てが遊技盤１７の盤面よりも背後に配置することも可能であり、この配置構成では、各回転ドラムＤ１，Ｄ２，Ｄ３　の全面に、遊技盤１７の盤面と略同一面となる透明カバー２６が配置される。
【００２５】
引き続いて、本発明の第２実施形態の図柄表示装置Ａ２　について説明する。図７は、図柄表示装置Ａ２　を構成する画面表示体Ｅ１　と、その両側に配置された一対の円錐回転ドラムＤ２，Ｄ３　との正面図であり、図８は、同じく斜視図である。この図柄表示装置Ａ２　は、前記図柄表示装置Ａ１　において、中央に配置された円筒回転ドラムＤ１　のみを画面表示体Ｅ１　に置換したものであって、画面表示体Ｅ１　としては、例えば液晶表示のものが使用され、遊技者が始動レバー１１を押すことにより、その平面状の表示面２７に複数種類の図柄Ｂ２　が順次変動表示されると共に、画面表示体Ｅ１　の両側の円錐回転ドラムＤ２，Ｄ３　が回転して、テーパー外周面３２に描画された図柄Ｂ１　が変動表示される。画面表示体Ｅ１　は、奥行方向に沿って各円錐回転ドラムＤ２，Ｄ３　の回転中心位置に配置されているため、画面表示体Ｅ１　の表面の表示面２７と、各円錐回転ドラムＤ２，Ｄ３　のテーパー外周面３２の手前側の図柄表示窓１９内に位置する部分とは、奥行方向に沿って大きく隔たっている。
【００２６】
そして、画面表示体Ｅ１　の図柄Ｂ２　と、その両側の円錐回転ドラムＤ２，Ｄ３　のテーパー外周面３２に描画された図柄Ｂ１　とに、停止表示された３個の図柄が、１本の水平ライン又は２本の対角線ラインの計３本の有効ライン３４上に特定の組み合わせで揃って、「役」が成立すると、コイン払出口１０から受皿２０に所定数のコインが払い出されて貯留される。
【００２７】
このように、第２実施形態の図柄表示装置Ａ２　は、平面状の画面上で図柄Ｂ２　が変動表示する画面表示体Ｅ１　と、この画面表示体Ｅ１　の両側に配置されて、回転により図柄を変動させる一対の円錐回転ドラムＤ２，Ｄ３　との異種構造の表示体の組み合わせによって、各図柄Ｂ１，Ｂ２　が変動表示される。このため、各図柄Ｂ１，Ｂ２　の表示面が立体的になるのに加えて、各図柄Ｂ１，Ｂ２　が二種の異なる表示形態で表示されるために、一層斬新な図柄表示が実現される。
【００２８】
次に、更に別の図柄表示装置Ａ３　について説明する。図９及び図１０は、それぞれ図柄表示装置Ａ３　の正面図及び平面図である。この図柄表示装置Ａ３　は、画面表示体Ｅ２　と、その前面の両側に軸心を交差して配置された一対の円錐回転ドラムＤ１２，Ｄ１３とで構成される。画面表示体Ｅ２　は、前記画面表示体Ｅ１　とほぼ同一構成であって、その平面状の表示面に大きな複数の図柄Ｂ２　が変動表示される。截頭円錐状をした一対の円錐回転ドラムＤ１２，Ｄ１３は、その軸心を水平にして、截頭面が遊技盤１７の外側を向き、しかも奥行方向に沿って間隔が徐々に狭くなるように、平面視において「ハの字」状に配置されている。
【００２９】
また、一対の円錐回転ドラムＤ１２，Ｄ１３は、透明体で構成されて、そのテーパー内周面３３に図柄Ｂ３　が描画されている。このため、図柄Ｂ３　は、例えば、図柄Ｂ３　が描画された透明シールを各円錐ドラムＤ１２，Ｄ１３のテーパー内周面３３に貼り付けることにより描画可能であって、円錐回転ドラムＤ１２，Ｄ１３のテーパー外周面３６からも視認可能となっている。一対の円錐回転ドラムＤ１２，Ｄ１３のテーパー内周面３３に描画された図柄Ｂ３　は、前記画面表示体Ｅ２　の表示面と略同一面において回転して変動表示されると共に、各円錐回転ドラムＤ１２，Ｄ１３の外側からは、反転された状態で視認されるため、回転中の全図柄Ｂ３　を遊技者に見せることができる。また、各円錐回転ドラムＤ１２，Ｄ１３は、前記円錐回転ドラムＤ２，Ｄ３　と同様にして、その截頭面の外側に配置された支持台に装着されたモータ（いずれも図示せず）に回転可能に支持されている。
【００３０】
このため、遊技者が始動レバー１１を押すと、画面表示体Ｅ２　の図柄Ｂ３　が変動表示されると共に、一対の円錐回転ドラムＤ１２，Ｄ１３のテーパー内周面３３に描画された全図柄Ｂ３　を、その一部が反転された形態で視認しながら、前記画面表示体Ｅ２　の両側の略同一面上において、一対の円錐回転ドラムＤ１２，Ｄ１３のテーパー内周面に描画された図柄Ｂ３　を読み取ることができる。
【００３１】
このように、図柄表示装置Ａ３　は、画面表示体Ｅ２　の両側に、テーパー周面が透明となった一対の円錐回転ドラムＤ１２，Ｄ１３が、その截頭面を外側にし、しかも奥側に向けて漸次その幅が狭くなるような平面視で「ハの字」形に配置されているので、そのテーパー内周面３３に描画された全図柄Ｂ３　を読み取ることができて、この図柄Ｂ３　と、画面表示体Ｅ２　に変動表示される図柄Ｂ２　とが特定の組み合わせとなるべく、スロットマシンＭの各停止ボタン１２，１３，１４を押して遊技を行う。このように、図柄表示装置Ａ３　は、その表示が立体的であるのに加えて、回転中の各円錐回転ドラムＤ１２，Ｄ１３のテーパー内周面３３に描画された全図柄Ｂ３　を読み取れるために、一層斬新な図柄表示が可能となる。
【００３２】
なお、本発明に係る図柄表示装置を組込み可能な遊技機としては、コインで遊技を行う上記スロットマシンの他に、パチンコ球にてスロット遊技を行うパチンコ機、或いは盤面に回転ドラムを配置したパチンコ機等に対しても実施可能である。
【００３３】
【発明の効果】
本発明に係る図柄表示装置は、截頭面を遊技盤面の内側に向けて対向配置された截頭円錐状をした一対の円錐回転ドラムを備えていて、この一対の円錐回転ドラムの図柄表示部における表示面は、奥行方向に沿って異なる位置に配置されるために、一対の円錐回転ドラムを含む複数の回転ドラムで構成される図柄表示装置の表示面は、立体形状となって、立体感を有する斬新な表示態様で図柄変動を行える。
【図面の簡単な説明】
【図１】本発明に係るスロットマシンＭの正面図である。
【図２】スロットマシンＭの図柄表示装置Ａ１　を構成する３個の回転ドラムＤ１　〜Ｄ３　の回転支持構造を主体に示す概略断面図である。
【図３】図柄表示装置Ａ１　を構成する３個の回転ドラムＤ１，Ｄ２，Ｄ３　の配置を示す正面図である。
【図４】同じく斜視図である。
【図５】図柄表示装置Ａ１　を構成する３個の回転ドラムＤ１，Ｄ２，Ｄ３　の一部が前面に突出した状態を示す斜視図である。
【図６】図柄表示装置Ａ１　を構成する３個の回転ドラムＤ１，Ｄ２，Ｄ３　の全てが遊技盤１７の遊技面よりも奥側に配置された状態を示す部分平面図である。
【図７】図柄表示装置Ａ２　を構成する画面表示体Ｅ１　と、その両側に配置された一対の円錐回転ドラムＤ２，Ｄ３　との正面図である。
【図８】同じく斜視図である。
【図９】図柄表示装置Ａ３　の正面図である。
【図１０】同じく平面図である。
【符号の説明】
Ａ１　〜Ａ３　：図柄表示装置
Ｂ１　〜Ｂ３　：図柄
Ｄ１　：円筒回転ドラム
Ｄ２，Ｄ３，Ｄ１２，　Ｄ１３：円錐回転ドラム
Ｅ１，Ｅ２　：画面表示体
Ｍ：スロットマシン
１７：遊技盤
１７ａ：遊技盤の盤面
２８：円錐回転ドラムの底面
２９：円錐回転ドラムの截頭面
３２，３６：テーパー外周面
３３：テーパー内周面
【図１】
2004105319.tif 000003
【図２】
2004105319.tif 000004
【図３】
2004105319.tif 000005
【図４】
2004105319.tif 000006
【図５】
2004105319.tif 000007
【図６】
2004105319.tif 000008
【図７】
2004105319.tif 000009
【図８】
2004105319.tif 000010
【図９】
2004105319.tif 000011
【図１０】
2004105319.tif 000012